(57)【特許請求の範囲】
【請求項１】
搬送方向に沿って搬送される媒体の一面側に流体を噴射することで記録を施す記録ヘッドと、
前記媒体の他面側を固定状態で支える固定支持部及び前記記録ヘッドに対向する領域で開口する開口部を有して、前記固定支持部と前記開口部とが前記搬送方向に並ぶように設けられる支持部材と、
前記開口内において、前記媒体の前記他面側を支える支持位置と該支持位置から離間した退避位置との間を、前記搬送方向と交差する幅方向に沿って移動する可動支持部と、を備え、
前記支持位置は、前記幅方向において前記固定支持部が設けられた位置であり、
前記退避位置は、前記幅方向において前記支持位置よりも前記開口部の端部に近い位置であり、
前記可動支持部は、前記記録ヘッドが前記媒体に流体を噴射するときに前記支持位置に移動し、前記記録ヘッドが前記開口部に流体を噴射するときに前記退避位置に移動することを特徴とする記録装置。
【請求項２】
前記可動支持部は、前記搬送方向において、前記開口に対応する長さを有することを特徴とする請求項１に記載の記録装置。
【請求項３】
前記固定支持部は、前記搬送方向に沿って延びるとともに、前記幅方向に並ぶように配置された複数の固定リブであり、
前記可動支持部は、前記固定リブと対応する形状を有する可動リブであることを特徴とする請求項１又は請求項２に記載の記録装置。
【請求項４】
前記記録ヘッドは、前記媒体に流体を噴射することで記録を施すとともに、前記開口内には、前記記録ヘッドが噴射する流体を受容する受容部が配置され、
前記記録ヘッドが前記受容部の前記幅方向における一方側に向けて流体を噴射する際に、前記可動支持部は、前記幅方向における他方側に退避することを特徴とする請求項１〜請求項３のうち何れか一項に記載の記録装置。
【請求項５】
前記開口を通じて、前記記録ヘッドに当接する当接位置と、前記記録ヘッドから離間する離間位置との間を移動可能なキャップをさらに備え、
前記可動支持部は、前記キャップが前記当接位置に移動する際には、前記幅方向において前記キャップと並ぶ位置に退避することを特徴とする請求項１〜請求項４のうち何れか一項に記載の記録装置。
【請求項６】
前記幅方向に沿って移動しつつ前記記録ヘッドを払拭するワイパー部材をさらに備え、
前記可動支持部は、前記ワイパー部材によって構成されることを特徴とする請求項１〜請求項５のうち何れか一項に記載の記録装置。
【請求項７】
前記幅方向に沿って移動しつつ前記記録ヘッドを払拭するワイパー部材と、
該ワイパー部材及び前記可動支持部を前記幅方向に沿って移動させる移動機構と、をさらに備えることを特徴とする請求項１〜請求項５のうち何れか一項に記載の記録装置。
【発明の詳細な説明】
【技術分野】
【０００１】
本発明は、記録装置に関する。
【背景技術】
【０００２】
従来、記録装置として、記録ヘッドから用紙（媒体）の一面側に対してインクなどの流体を噴射することで印刷（記録）を行うインクジェット式プリンターが広く知られている。こうしたプリンターには、一面側に記録が施される用紙の他面側を支えるためのプラテンを備えるものが多い（例えば、特許文献１）。
【０００３】
また、このようなプリンターには、プラテンに開口部を設け、この開口部に、噴射されたインクのうち用紙の縁から外側にはみ出たインクを受容したり、印刷の合間に行われるフラッシングの際にインクを受容したりするためのインク吸収体を配置したものがあった。そして、こうした開口部を設けることで、開口内に落ち込んだ用紙の先端側が開口部に引っかかって紙ジャムの原因となることがあった。
【０００４】
そのため、例えば特許文献１のプリンターにおいては、従来の開口部よりも開口面積の小さい３つ以上の小開口部を互い違いに配置することで、用紙の落ち込みを抑制するようにしていた。
【先行技術文献】
【特許文献】
【０００５】
【特許文献１】特開２００４−１０６４３２号公報
【発明の概要】
【発明が解決しようとする課題】
【０００６】
しかし、開口部の形状は、記録ヘッドの形状に対応して設計する必要があるため、用紙の落ち込みを抑制するのに効果的な形状に変更することができない場合があるという問題があった。
【０００７】
本発明は、こうした課題に鑑みてなされたものであり、一面側に記録が施される媒体の他面側を支える支持部材に設けられた開口部の形状を変更することなく、該開口部における媒体の落ち込みを抑制することができる記録装置を提供することにある。
【課題を解決するための手段】
【０００８】
上記目的を達成するために、本発明の記録装置は、搬送方向に沿って搬送される媒体の一面側に流体を噴射することで記録を施す記録ヘッドと、前記媒体の他面側を固定状態で支える固定支持部及び前記記録ヘッドに対向する領域で開口する開口部を有して、前記固定支持部と前記開口部とが前記搬送方向に並ぶように設けられる支持部材と、前記開口内において、前記媒体の前記他面側を支える支持位置と該支持位置から離間した退避位置との間を、前記搬送方向と交差する幅方向に沿って移動する可動支持部と、を備え、前記支持位置は、前記幅方向において前記固定支持部が設けられた位置であり、前記退避位置は、前記幅方向において前記支持位置よりも前記開口部の端部に近い位置であり、前記可動支持部は、前記記録ヘッドが前記媒体に流体を噴射するときに前記支持位置に移動し、前記記録ヘッドが前記開口部に流体を噴射するときに前記退避位置に移動する。
【０００９】
この構成によれば、支持部材には開口部が設けられているが、開口内には、搬送方向と交差する幅方向に沿って移動する可動支持部が設けられている。したがって、媒体が搬送される際には、可動支持部が支持位置に移動することで、固定支持部と協働して媒体の他面側を支えることができる。これにより、一面側に記録が施される媒体の他面側を支える支持部材に設けられた開口部の形状を変更することなく、該開口部における媒体の落ち込みを抑制することができる。
【００１０】
本発明の記録装置において、前記可動支持部は、前記搬送方向において、前記開口に対応する長さを有する。
この構成によれば、可動支持部は、搬送方向において、開口に対応する長さを有するので、任意の形状の開口部に対応して、媒体を支えることができる。
【００１１】
本発明の記録装置において、前記固定支持部は、前記搬送方向に沿って延びるとともに、前記幅方向に並ぶように配置された複数の固定リブであり、前記可動支持部は、前記固定リブと対応する形状を有する可動リブである。
【００１２】
この構成によれば、可動支持部は、幅方向において固定リブが設けられた位置を支持位置とする一方、幅方向において固定リブが設けられていない領域を退避位置とすることができる。そして、可動支持部は固定リブと対応する形状を有する可動リブであるので、搬送方向に固定リブと並ぶ支持位置に移動することで、固定リブと同様に媒体を支えることができる。
【００１３】
本発明の記録装置において、前記記録ヘッドは、前記媒体に流体を噴射することで記録を施すとともに、前記開口内には、前記記録ヘッドが噴射する流体を受容する受容部が配置され、前記記録ヘッドが前記受容部の前記幅方向における一方側に向けて流体を噴射する際に、前記可動支持部は、前記幅方向における他方側に退避する。
【００１４】
この構成によれば、開口内には、記録ヘッドが噴射する流体を受容する受容部が配置されているが、可動支持部は幅方向に沿って移動可能であるので、記録ヘッドが受容部の幅方向における一方側に向けて流体を噴射する際には、幅方向における他方側に退避することができる。そして、記録ヘッドが幅方向において受容部の一方側と他方側とに分けて流体を噴射することで、可動支持部は受容部が設けられた位置から完全に退避する必要がないので、支持位置から退避する時間を短くすることができる。したがって、媒体の搬送が高速で行われる場合にも、媒体の搬送の合間に受容部へ向けて流体を噴射するフラッシングを行うことができる。
【００１５】
本発明の記録装置は、前記開口を通じて、前記記録ヘッドに当接する当接位置と、前記記録ヘッドから離間する離間位置との間を移動可能なキャップをさらに備え、前記可動支持部は、前記キャップが前記当接位置に移動する際には、前記幅方向において前記キャップと並ぶ位置に退避する。
【００１６】
この構成によれば、開口内にはキャップが配置されるが、可動支持部は幅方向に移動可能であるので、キャップが上昇移動して記録ヘッドに当接する当接位置に移動する際には、幅方向においてキャップと並ぶ位置に退避することができる。
【００１７】
本発明の記録装置は、前記幅方向に沿って移動しつつ前記記録ヘッドを払拭するワイパー部材をさらに備え、前記可動支持部は、前記ワイパー部材によって構成される。
この構成によれば、可動支持部は記録ヘッドを払拭するワイパー部材によって構成されるので、可動支持部を構成するための専用部材を備える必要がない。
【００１８】
本発明の記録装置は、前記幅方向に沿って移動しつつ前記記録ヘッドを払拭するワイパー部材と、該ワイパー部材及び前記可動支持部を前記幅方向に沿って移動させる移動機構と、をさらに備える。
【００１９】
この構成によれば、ワイパー部材及び可動支持部を幅方向に沿って移動させる移動機構を備えるので、可動支持部がワイパー部材と移動機構を共有することで、部品点数の増加を抑制することができる。
【図面の簡単な説明】
【００２０】
【図１】本実施形態における記録装置の概略構成を示す断面図。
【図２】搬送ローラー対の構成を示す側面図。
【図３】ヘッドユニットを斜め下側から見た斜視図。
【図４】メンテナンスユニットを内蔵するプラテンの斜視図。
【図５】メンテナンスユニットを内蔵するプラテンの上面図。
【図６】印刷を行う場合の可動リブの位置を示す断面図。
【図７】キャップの前側に向けてフラッシングをする場合の可動リブの位置を示す断面図。
【図８】キャップの後側に向けてフラッシングをする場合の可動リブの位置を示す断面図。
【図９】ワイピングを行う場合のワイパー部材の位置を示す断面図。
【図１０】キャッピングを行う場合の可動リブの位置を示す断面図。
【図１１】可動リブとして機能する別の実施形態のワイパー部材を説明する断面図。
【発明を実施するための形態】
【００２１】
以下、本発明を記録装置の一種であるインクジェット式プリンター（以下、単に「プリンター」という）に具体化した実施形態を図１〜図１０を参照しながら説明する。なお、以下の説明において、「前後方向」、「左右方向」、「上下方向」をいう場合は各図中に矢印で示す前後方向、左右方向、上下方向をそれぞれ示すものとする。
【００２２】
図１に示すように、記録装置としてのプリンター１１は、媒体としての用紙Ｐを搬送方向Ｘ（図１では右方向）に沿って搬送する搬送装置１２と、複数（本実施形態では４つ）の記録ヘッド１３を備えるヘッドユニット１４と、支持部材としてのプラテン１５と、プラテン１５内に収容されたメンテナンスユニット１６とを備えている。
【００２３】
搬送装置１２は、給紙ローラー対２０と、排紙ローラー対２１と、給紙ローラー対２０及び排紙ローラー対２１を回転させる図示しない搬送モーターとを備えている。そして、搬送モーターの回転駆動に伴って、給紙ローラー対２０が用紙Ｐを挟持しつつプラテン１５上に給紙するとともに、排紙ローラー対２１がプラテン１５上から用紙Ｐを排紙するようになっている。
【００２４】
図２に示すように、給紙ローラー対２０は、搬送モーターに接続された駆動軸２０ａと、駆動軸２０ａに支持された駆動ローラー２０ｂと、回転軸２０ｃと、回転軸２０ｃに支持された従動ローラー２０ｄと、コルゲーションローラー２０ｅとを備えている。回転軸２０ｃは、図示しない付勢部材によって駆動軸２０ａに近接する方向に付勢されている。これにより、給紙ローラー対２０は、駆動ローラー２０ｂと従動ローラー２０ｄとの間に用紙Ｐを挟持する。
【００２５】
コルゲーションローラー２０ｅは、駆動ローラー２０ｂよりも大きな径を有して駆動軸２０ａに支持されているとともに、駆動ローラー２０ｂと隣接する位置に配置されている。なお、コルゲーションローラー２０ｅは、回転軸２０ｃに支持されるようにしてもよい。
【００２６】
そして、給紙ローラー対２０に挟持された用紙Ｐは、コルゲーションローラー２０ｅによって幅方向Ｙに沿ってわずかに波打つような形状となることで腰付けされるようになっている。すなわち、用紙Ｐはプラテン１５上で一面側（上面側）に記録が施されるが、このときに用紙Ｐが搬送方向Ｘに撓むと記録位置がずれるなどして記録品質が低下するため、用紙Ｐを腰付けした状態で給紙することで、用紙Ｐの撓みを抑制するようにしている。
【００２７】
図１に示すように、ヘッドユニット１４には、異なる色のインク（流体）に対応した記録ヘッド１３（１３Ａ，１３Ｂ，１３Ｃ，１３Ｄ）が搬送方向Ｘに沿って並ぶように配置されている。また、各記録ヘッド１３の下面からなるノズル形成面２３には、インクを噴射する複数のノズル２４が設けられている。
【００２８】
図３に示すように、ヘッドユニット１４の下面側には、搬送方向Ｘ及び搬送方向Ｘと交差する幅方向Ｙ（前後方向）に沿って千鳥状に配置された複数の記録ヘッド１３のノズル形成面２３が露出している。また、ノズル２４は、各ノズル形成面２３に幅方向Ｙに沿って等間隔に並ぶように配置されている。
【００２９】
すなわち、ヘッドユニット１４は、複数の記録ヘッド１３を幅方向Ｙに沿って配置することで、長尺状の記録ヘッドを備えることなく、固定された状態で用紙最大幅範囲の印刷が可能なラインヘッドを構成している。そして、給紙ローラー対２０及び排紙ローラー対２１によって搬送される用紙Ｐをプラテン１５上で停止させることなく、各記録ヘッド１３のノズル２４から異なる色のインクを順次噴射することで、用紙Ｐに記録（印刷）が施されるようになっている。
【００３０】
図４及び図５に示すように、プラテン１５の上面側には、記録ヘッド１３の各ノズル形成面２３と対向する領域で開口する開口部２５が設けられている。また、プラテン１５の上面側には、給紙ローラー対２０によって腰付けされた用紙Ｐの下面側（他面側）を固定状態で支える固定支持部としての固定リブ２６が設けられている。
【００３１】
図１、図４及び図５に示すように、固定リブ２６は、搬送方向Ｘに沿って延びるとともに、給紙ローラー対２０のコルゲーションローラー２０ｅと対応する位置に、幅方向Ｙに並ぶように複数配置されている。また、固定リブ２６の上面側において、搬送方向Ｘの上流側となる左端側には、用紙Ｐの引っかかりを抑制するための傾斜面２７が形成されている。
【００３２】
図１及び図５に示すように、メンテナンスユニット１６は、各開口部２５が形成する開口内に配置された有底箱状のキャップ３０と、ワイパー部材３１とを有している。また、ワイパー部材３１の後方には、固定リブ２６と対応する形状を有する可動支持部としての可動リブ３２が配置されている。
【００３３】
なお、平面視において、開口部２５及びキャップ３０は、記録ヘッド１３の形状に対応して幅方向Ｙが長手方向となっている。また、ワイパー部材３１及び可動リブ３２は、搬送方向Ｘが長手方向となっている。
【００３４】
図１に示すように、キャップ３０は、上端側に弾性部材からなる矩形枠状のシール部３０ａを有している。また、キャップ３０の内底部には、記録ヘッド１３が噴射するインクを受容する受容部としてのインク吸収体３３が収容されている。そして、キャップ３０は、昇降機構３４によって上下方向に沿って移動することで、各記録ヘッド１３のノズル形成面２３にシール部３０ａが当接する当接位置と、記録ヘッド１３から離間する離間位置との間を移動するようになっている。
【００３５】
図１及び図５に示すように、ワイパー部材３１は、キャップ３０のシール部３０ａを跨ぐように、搬送方向Ｘ（左右方向）に延びる摺接部３５と、摺接部３５の左右両端を支持する支柱部３６とを有している。そして、ワイパー部材３１は、摺接部３５が記録ヘッド１３のノズル形成面２３に当接した状態で、移動機構３７（図１参照）によって幅方向Ｙに沿って移動することで、ノズル形成面２３を払拭するようになっている。また、ワイパー部材３１は、昇降機構３８（図１参照）によって上下方向に移動することで、各記録ヘッド１３のノズル形成面２３に当接する当接位置と、記録ヘッド１３から離間する離間位置との間を移動するようになっている。
【００３６】
可動リブ３２は、キャップ３０のシール部３０ａを跨ぐように、搬送方向Ｘ（左右方向）に延びて用紙Ｐを支える支持部３９と、支持部３９の左右両端を支持する支柱部４０とを有している。なお、支持部３９は、搬送方向Ｘにおいて開口部２５が形成する開口に対応する長さを有するとともに、幅方向Ｙにおいて固定リブ２６に対応する長さを有している。また、可動リブ３２の上面側において、搬送方向Ｘの上流側となる左端側には、用紙Ｐの引っかかりを抑制するための傾斜面４１が形成されている。
【００３７】
図６に示すように、幅方向Ｙに並ぶ複数のキャップ３０は、昇降機構３４を構成する基台部４２に支持されている。また、幅方向Ｙに並ぶ複数のワイパー部材３１は、昇降機構３８を構成する基台部４３に支持されている。したがって、幅方向Ｙに並ぶキャップ３０及びワイパー部材３１は、それぞれ共通の昇降機構３４，３８によって上下移動可能となっている。なお、図６〜図１１においては、表現の簡略化のために、記録ヘッド１３を小さく（幅方向Ｙに短く）図示している。
【００３８】
また、昇降機構３８の基台部４３及び幅方向Ｙに並ぶ複数の可動リブ３２は、移動機構３７を構成する基台部４４に支持されている。したがって、幅方向Ｙに並ぶ複数のワイパー部材３１及び可動リブ３２は、共通の移動機構３７によって、幅方向Ｙに沿って移動可能となっている。なお、昇降機構３４，３８及び移動機構３７は、それぞれ基台部４２，４３，４４を移動させるための図示しない動力源と動力伝達機構（例えば、カム機構やラックアンドピニオン機構など、図示略）とを備える。
【００３９】
次に、プリンター１１の作用について説明する。
まず、用紙Ｐに対する印刷を行う場合には、図４及び図５に示すように、可動リブ３２を幅方向Ｙにおいて固定リブ２６と並ぶ支持位置に移動させる。これにより、図６に示すように、搬送方向Ｘに搬送される用紙Ｐは、可動リブ３２の支持部３９と固定リブ２６とによって、他面側が支えられる。
【００４０】
また、複数の用紙Ｐに対して連続的に印刷を行う場合、プリンター１１は、ノズル２４の目詰まりを予防するために、印刷の合間にキャップ３０のインク吸収体３３に向けてインクを噴射するフラッシュングを行う。このフラッシングは、幅方向Ｙに並ぶノズル２４のうち、前側（一方側）の半数と、後側（他方側）の半数とで交互に行われる。
【００４１】
そして、図７に示すように、幅方向Ｙにおいて記録ヘッド１３の前側のノズル２４からインク吸収体３３の前側に向けてインクを噴射する際には、可動リブ３２が後側に退避する。一方、図８に示すように、幅方向Ｙにおいて記録ヘッド１３の後側のノズル２４からインク吸収体３３の後側に向けてインクを噴射する際には、可動リブ３２が前側に退避する。
【００４２】
また、プリンター１１においては、例えば１ジョブの印刷が終了する毎に、図９に示すように、ワイパー部材３１が幅方向Ｙに沿って移動しつつ摺接部３５で記録ヘッド１３のノズル形成面２３を払拭するワイピングが行われる。このとき、ワイパー部材３１は昇降機構３８によってノズル形成面２３に当接する位置まで上昇移動した後に、移動機構３７によって前方に向かって移動する。
【００４３】
そして、印刷が終了すると、図１０に示すように、キャップ３０が昇降機構３４によって上昇移動して、シール部３０ａがノズル２４を囲むようにノズル形成面２３に当接することで、キャッピングが行われる。なお、キャップ３０は、当接位置において、シール部３０ａがノズル形成面２３を囲むような態様で、ヘッドユニット１４の下面に当接するようにしてもよい。そして、ワイパー部材３１及び可動リブ３２は、キャップ３０が記録ヘッド１３に当接する当接位置に移動する際には、幅方向Ｙにおいてキャップ３０と並ぶ前側に退避する。
【００４４】
すなわち、可動リブ３２は、開口内において、用紙Ｐの他面側を支える支持位置と該支持位置から離間した退避位置との間を、幅方向Ｙに沿って移動する。これにより、記録ヘッド１３と対向する位置に、キャッピングを行うためのキャップ３０、フラッシングを行うためのインク吸収体３３及びワイピングを行うためのワイパー部材３１に加えて、用紙Ｐを支える可動リブ３２を配置することができる。したがって、ヘッドユニット１４を移動させることなく、記録ヘッド１３に対する各種のメンテナンスを実行することができる。
【００４５】
以上説明した実施形態によれば、以下のような効果を得ることができる。
（１）プラテン１５には開口部２５が設けられているが、開口内には、搬送方向Ｘと交差する幅方向Ｙに沿って移動する可動リブ３２が設けられている。したがって、用紙Ｐが搬送される際には、可動リブ３２が支持位置に移動することで、固定リブ２６と協働して用紙Ｐの他面側を支えることができる。これにより、搬送される用紙Ｐの先端が開口内に落ち込み、開口部２５に引っかかって紙ジャムを生じたり、用紙Ｐが開口内に落ち込むような態様で撓み、ノズル２４から用紙Ｐまでの離間距離が変化して印刷品質が低下したりすることが抑制される。すなわち、一面側に記録が施される用紙Ｐの他面側を支えるプラテン１５に設けられた開口部２５の形状を変更することなく、開口部２５における用紙Ｐの落ち込みを抑制することができる。
【００４６】
（２）可動リブ３２は、搬送方向Ｘにおいて、開口に対応する長さを有するので、任意の形状の開口部２５に対応して、用紙Ｐを支えることができる。
（３）可動リブ３２は、幅方向Ｙにおいて固定リブ２６が設けられた位置を支持位置とする一方、幅方向Ｙにおいて固定リブ２６が設けられていない領域を退避位置とすることができる。そして、可動リブ３２は固定リブ２６と対応する形状を有するので、搬送方向Ｘに固定リブ２６と並ぶ支持位置に移動することで、固定リブ２６と同様に用紙Ｐを支えることができる。
【００４７】
（４）開口内には、記録ヘッド１３が噴射するインクを受容するインク吸収体３３が配置されているが、可動リブ３２は幅方向Ｙに沿って移動可能であるので、記録ヘッド１３がインク吸収体３３の幅方向Ｙにおける一方側に向けてインクを噴射する際には、幅方向Ｙにおける他方側に退避することができる。そして、記録ヘッド１３が幅方向Ｙにおいてインク吸収体３３の一方側と他方側とに分けてインクを噴射することで、可動リブ３２はインク吸収体３３が設けられた位置から完全に退避する必要がないので、支持位置から退避する時間を短くすることができる。したがって、用紙Ｐの搬送が高速で行われる場合にも、用紙Ｐの搬送の合間にインク吸収体３３へ向けてインクを噴射するフラッシングを行うことができる。
【００４８】
（５）開口内にはキャップ３０が配置されるが、可動リブ３２は幅方向Ｙに移動可能であるので、キャップ３０が上昇移動して記録ヘッド１３に当接する当接位置に移動する際には、幅方向Ｙにおいてキャップ３０と並ぶ位置に退避することができる。
【００４９】
（６）ワイパー部材３１及び可動リブ３２を幅方向Ｙに沿って移動させる移動機構３７を備えるので、可動リブ３２がワイパー部材３１と移動機構３７を共有することで、部品点数の増加を抑制することができる。
【００５０】
（７）固定リブ２６及び可動リブ３２には、それぞれ傾斜面２７，４１が設けられているので、搬送される用紙Ｐの引っかかりを抑制して、用紙Ｐをスムーズに案内することができる。
【００５１】
（８）用紙Ｐは給紙ローラー対２０によって腰付けされた状態でプラテン１５上に給紙されるので、その先端を開口部２５に落ち込ませることなく、コルゲーションローラー２０ｅと対応する位置に設けた固定リブ２６及び可動リブ３２で確実に支えることができる。
【００５２】
なお、上記実施形態は以下のような別の実施形態に変更してもよい。
・可動リブ３２を備えず、図１１に示すように、ワイパー部材３１で用紙Ｐの他面側を支えるようにしてもよい。この場合には、用紙Ｐの他面側にインクが付着するのを抑制するために、ワイパー部材３１に付着したインクを除去するためのワイパークリーナー４５を備えるのが好ましい。なお、ワイパークリーナー４５をヘッドユニット１４の記録ヘッド１３と幅方向Ｙに隣接する位置に配置しておけば、ワイパー部材３１が払拭動作に続いて図１１に二点鎖線で示す位置まで前方に向けて移動することで、ワイパー部材３１の清掃を行うことができる。そして、この構成によれば、可動保持部は記録ヘッド１３を払拭するワイパー部材３１によって構成されるので、可動保持部を構成するための専用部材を備える必要がない。
【００５３】
・可動リブ３２及びワイパー部材３１は、フラッシング時に、キャップ３０と並ぶ位置まで退避するようにしてもよい。この場合には、１回のフラッシングで全てのノズル２４からインクを噴射することができる。
【００５４】
・フラッシングは、前後方向に列をなす複数のノズル２４について、３回以上に分けて行ってもよい。この場合には、可動リブ３２をインクが噴射されない領域に順次移動させればよい。
【００５５】
・搬送方向Ｘにおける可動リブ３２の長さは、開口部２５が形成する開口の全体をカバーする長さでなくてもよく、例えばキャップ３０のサイズ等に応じて、長さを調整してもよい。
【００５６】
・給紙ローラー対２０は、コルゲーションローラー２０ｅを備えない構成としてもよい。
・可動保持部は、固定リブ２６に対応した形状でなくてもよく、例えば開口部２５が形成する開口を塞ぐシャッターのような形状に形成してもよい。
【００５７】
・開口部２５は、例えばプラテン１５の軽量化など、キャップ３０やインク吸収体３３などを配置する以外の目的で設けられるものでもよい。この場合には、ワイパー部材３１やキャップ３０、インク吸収体３３などを備えない構成としてもよい。
【００５８】
・インク吸収体３３を備えず、キャップ３０を受容部としてもよい。
・キャップ３０を備えず、インク吸収体３３のみ備えるようにしてもよい。この場合には、昇降機構３４を備えなくてもよい。
【００５９】
・ワイパー部材３１と可動リブ３２とが別個の移動機構で幅方向Ｙに沿って移動するようにしてもよい。
・記録ヘッド１３は、下方に向けてインクを噴射する場合に限らず、上下方向（重力方向）と交差する方向に向けてインクを噴射するようにしてもよい。
【００６０】
・上記実施形態では、記録装置をインクジェット式プリンターに具体化したが、インク以外の他の流体を噴射したり吐出したりする流体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうち何れか一種の噴射装置に本発明を適用することができる。
【００６１】
・本発明は、流体を噴射するインクジェット式プリンター（流体噴射装置）に限らず、ドットインパクト式など、支持部材（プラテン）を備える任意の形式のプリンターやＦＡＸ、コピー機、あるいはこれら各機能を併せ持つ複合機などに適応することができる。
【符号の説明】
【００６２】
１１…記録装置としてのプリンター、１３，１３Ａ，１３Ｂ，１３Ｃ，１３Ｄ…記録ヘッド、１５…支持部材としてのプラテン、２５…開口部、２６…固定支持部としての固定リブ、３０…キャップ、３１…ワイパー部材、３２…可動支持部としての可動リブ、
３３…受容部としてのインク吸収体、３７…移動機構、Ｐ…媒体としての用紙、Ｘ…搬送方向、Ｙ…幅方向。
【図１】
0005577815.tif 000002
【図２】
0005577815.tif 000003
【図３】
0005577815.tif 000004
【図４】
0005577815.tif 000005
【図５】
0005577815.tif 000006
【図６】
0005577815.tif 000007
【図７】
0005577815.tif 000008
【図８】
0005577815.tif 000009
【図９】
0005577815.tif 000010
【図１０】
0005577815.tif 000011
【図１１】
0005577815.tif 000012